(57)【要約】      （修正有）【課題】長期間にわたって使用することができ、高い美容効果が得られる就寝時用美容用具を提供する。【解決手段】就寝時用美容用具１は、美容成分を含有する薬剤及び当該薬剤を保持している繊維体を有し、かつ、顔面の少なくとも一部と接触可能な接触面１１ａを有する美容用具本体１１と、接触面１１ａが顔面と接触する位置で美容用具本体１１を顔面に固定する固定部３０と、を備える。【選択図】図４
2019208630.tif 000002
【特許請求の範囲】
【請求項１】
美容成分を含有する薬剤及び当該薬剤を保持している繊維体を有し、かつ、顔面の少なくとも一部と接触可能な接触面を有する美容用具本体と、
前記接触面が顔面と接触する位置で前記美容用具本体を顔面に固定する固定部と、を備える就寝時用美容用具。
【発明の詳細な説明】
【技術分野】
【０００１】
本発明は、就寝時用美容用具に関する。
【背景技術】
【０００２】
従来、パックなどのような美容用具が知られている。例えば、特許文献１には、その一例として、不織布または織布からなる基材と、化粧料組成物が保持されたゲルとを有し、ゲルを顔面に貼り付けて使用されるシート状のパックが開示されている。
【先行技術文献】
【特許文献】
【０００３】
【特許文献１】特開２０１５−１４３２１４号公報
【発明の概要】
【発明が解決しようとする課題】
【０００４】
特許文献１に記載されているパックは、就寝前に使用され、就寝前に取り外されることを前提に構成されたものであるから、使用期間は著しく限られる。従って、十分に高い美容効果を得ることは困難である。
【０００５】
本発明の目的は、長期間にわたって使用することができ、高い美容効果が得られる美容用具を提供することである。
【課題を解決するための手段】
【０００６】
課題を解決するための手段として、本発明は、就寝時用美容用具であって、美容成分を含有する薬剤及び当該薬剤を保持している繊維体を有し、かつ、顔面の少なくとも一部と接触可能な接触面を有する美容用具本体と、接触面が顔面と接触する位置で美容用具本体を顔面に固定する固定部と、を備える就寝時用美容用具を提供する。
【０００７】
本就寝時用美容用具によれば、就寝前において、薬剤を保持している繊維体からなる美容用具本体を固定部で顔面に固定することにより、就寝中の長い期間にわたって美容用具本体の接触面を顔面に接触させた状態で保持することができる。このため、本就寝時用美容用具を用いることにより、就寝時間を利用して長期間にわたって美容用具本体から顔面に美容成分を供給し続けることができるため、高い美容効果が得られる。
【発明の効果】
【０００８】
以上のように、本発明によれば、長期間にわたって使用することができ、高い美容効果が得られる就寝時用美容用具を提供することができる。
【図面の簡単な説明】
【０００９】
【図１】本発明の第１実施形態の就寝時用美容器具の側面図である。
【図２】図１に示される就寝時用美容器具の正面図である。
【図３】美容用具本体の分解斜視図である。
【図４】図１に示される就寝時用美容器具の着用時の様子を概略的に示す図である。
【図５】本発明の第２実施形態における美容用具本体の分解斜視図である。
【図６】本発明の第３実施形態の就寝時用美容器具の側面図である。
【図７】図６に示される就寝時用美容器具の正面図である。
【図８】図６に示される就寝時用美容器具の着用時の様子を概略的に示す図である。
【発明を実施するための形態】
【００１０】
（第１実施形態）
本発明の第１実施形態の就寝時用美容用具１について、図１〜図４を参照しながら説明する。本就寝時用美容用具１は、主として就寝中等に着用されることにより、顔面の美容効果（保湿効果等）を得ることが可能なものである。
【００１１】
図１は、第１実施形態の就寝時用美容器具の側面図である。図２は、図１に示される就寝時用美容器具の正面図である。図３は、美容用具本体の分解斜視図である。図４は、図１に示される就寝時用美容器具の着用時の様子を概略的に示す図である。なお、図１及び後述する図６は、それぞれ、就寝時用美容用具を中心線Ｃ（図２を参照）に沿って切断することにより現れた断面が図示された側面図である。
【００１２】
就寝時用美容用具１は、美容用具本体１１と、固定部３０とを備えている。固定部３０は、一対の保持部３１により構成されている。以下、一対の保持部３１同士を結ぶ方向（図２の左右方向）を幅方向と称し、幅方向に直交する方向（図１及び図２の上下方向）を上下方向と称する。
【００１３】
美容用具本体１１は、図３に示されるように、美容成分を含有する薬剤及び当該薬剤を保持している繊維体１０を有している。かつ、美容用具本体１１は、図４に示されるように、顔面の少なくとも一部と接触可能な接触面１１ａを有している。具体的には、本実施形態では、接触面１１ａは、顔面のうち、少なくとも口及び鼻孔と接触可能に設けられている。但し、本発明は、この構成に限定されない。本発明において、接触面１１ａは、例えば、両眼及びその周囲に接触可能に設けられていてもよいし、顔面の実質的に全体に接触可能に設けられていてもよい。
【００１４】
以下、美容用具本体１１の構成について詳細に説明する。
【００１５】
美容用具本体１１は、図３に示されるように、繊維体１０を備える。繊維体１０は、例えば、不織布や織布等により構成することができる。
【００１６】
本実施形態では、繊維体１０は、内層１０Ａと、外層１０Ｂと、からなる二層構造を有している。内層１０Ａは、肌（顔面）に触れる側の部位である。外層１０Ｂは、外気に触れる側の部位である。
【００１７】
本実施形態において、内層１０Ａは、不織布、具体的には、スパンレース法により形成されたスパンレース不織布からなる。内層１０Ａは、分割繊維で構成されている。本実施形態では、内層１０Ａは、６５質量％のポリエチレンテレフタレート及び３５質量％のナイロンで構成されている。
【００１８】
繊維体１０には、美容成分を有する薬剤が保持されている。詳細には、薬剤は、就寝時用美容用具１が顔面に固定されて美容用具本体１１の接触面１１ａが顔面に接触した際に、その接触面１１ａにおいて薬剤が顔面に接触するように設けられている。本実施形態では、薬剤は、内層１０Ａによって保持されている。詳細には、薬剤は、内層１０Ａの内側表面上において塗布されている。このため、薬剤は、内層１０Ａの内側表面上に薬剤層４０を構成するように設けられている。但し、本発明は、この構成に限定されない。薬剤は、例えば、内層１０Ａに含浸されていてもよいし、内層１０Ａの内側表面上に付着していてもよい。例えば、薬剤を内層１０Ａに含浸させる場合、内層１０Ａに加え、外層１０Ｂにも薬剤を含浸させてもよい。但し、寝具への付着を抑制する観点からは、内層１０Ａに薬剤を含浸させ、外層１０Ｂには、薬剤を含浸させないことがより好ましい。なお、薬剤は、例えば、液体であってもよいし、クリームであってもよい。
【００１９】
薬剤層４０に含まれる薬剤は、美容成分を含有している。ここで、「美容成分」とは、顔やからだつき、肌などを美しく整える成分のことをいう。美容成分の例としては、例えば、保湿剤、防腐剤、美白剤、収斂剤、皮膚保護剤、皮膚栄養剤等が挙げられる。
【００２０】
保湿剤の具体例としては、例えば、グリセリン、コラーゲン、ヒアルロン酸、セラミドまたはスクワラン等が例示される。なかでも、不織布により構成された内層１０Ａに保持させた状態で高い保湿効果が得られるという観点からは、グリセリン及び醗酵ヒアルロン酸が保湿剤としてより好ましい。
【００２１】
防腐剤の具体例としては、例えば、ブチルカルバミン酸ヨウ化プロピニル、パラオキシ安息香酸メチル、パラオキシ安息香酸プロピルまたはフェノキシエタノールが挙げられる。カビ菌への抵抗性を発揮するという観点から、特にブチルカルバミン酸ヨウ化プロピニルが防腐剤としてより好ましい。
【００２２】
美白剤の具体例としては、例えば、ビタミンＣ誘導体、ハイドロキノン、アルブチン等が挙げられる。
【００２３】
収斂剤の具体例としては、例えば、クエン酸、ミョウバン、エタノール等が挙げられる。
【００２４】
以下、本実施形態では、薬剤が、保湿剤及び防腐剤を含む例について説明する。
【００２５】
薬剤を内層１０Ａの内面に塗布する場合、その塗布量は、１０ｇ／ｍ２以上１５０ｇ／ｍ２以下であることが好ましく、２０ｇ／ｍ２以上１５０ｇ／ｍ２以下であることがより好ましく、４０ｇ／ｍ２以上８０ｇ／ｍ２以下に設定されることがさらに好ましい。なお、本実施形態では、薬剤の内層１０Ａの内面への塗布量は、６０ｇ／ｍ２に設定されている。
【００２６】
薬剤は、使用者の呼気による水蒸気を抱水することで保湿効果を更に向上させる観点から、５０質量％以上のグリセリンを含むことが好ましい。
【００２７】
外層１０Ｂは、内層１０Ａの外側に配置されている。外層１０Ｂは、不織布、具体的には、スパンボンド法により形成されたスパンボンド不織布からなる。本実施形態では、外層１０Ｂは、ポリプロピレンのみで構成されている。外層１０Ｂは、疎水性を有する。詳細には、外層１０Ｂは、外層１０Ｂの表面上に水を滴下したときに、滴下した水が吸収されない程度の疎水性を有することが好ましい。外層１０Ｂは、外層１０Ｂの表面上に水を滴下したときに、滴下した水が外層１０Ｂの表面で弾かれて水滴が形成される程度の疎水性（いわゆる撥水性）を有することがより好ましい。
【００２８】
本実施形態では、内層１０Ａの圧力損失は、外層１０Ｂの圧力損失よりも大きい。圧力損失は、通気抵抗に相当する。好ましくは、内層１０Ａの圧力損失は、１．０ｍｍＨ２Ｏ／ｃｍ２以上２．５ｍｍＨ２Ｏ／ｃｍ２以下である。好ましくは、外層１０Ｂの圧力損失は、０ｍｍＨ２Ｏ／ｃｍ２よりも大きく０．５ｍｍＨ２Ｏ／ｃｍ２以下である。美容用具本体１１の圧力損失は、１．３ｍｍＨ２Ｏ／ｃｍ２以上３．１ｍｍＨ２Ｏ／ｃｍ２以下に設定されることが好ましい。
【００２９】
圧力損失は、以下のようにして測定することが可能である。調湿したサンプルを直径２．５ｃｍの筒状の試料ホルダーに取り付け、ポンプで８Ｌ／ｍｉｎの流量で吸引する。この際の圧力損失（ｍｍＨ２Ｏ）を測定し、測定面積で割変した値（ｍｍＨ２Ｏ／ｃｍ２）を最終結果とする。現在、廃版であるが、規格試験番号ＭＩＬ‐Ｍ‐３６９５４Ｃに則した測定である。
【００３０】
内層１０Ａの曲げ硬さは、外層１０Ｂの曲げ硬さよりも小さい。本実施形態では、外層１０Ｂの曲げ硬さは、０．０８ｇ／ｃｍ以上であり、内層１０Ａの曲げ硬さは、０．０８ｇ／ｃｍ未満である。なお、美容用具本体１１の曲げ硬さは、０．５０ｇ／ｃｍ以下に設定されることが好ましい。
【００３１】
曲げ硬さは、以下のようにして測定することが可能である。まず、就寝時用美容用具１の各層１０Ａ、１０Ｂを構成するシート材から、縦１５０ｍｍ及び横５０ｍｍにカットした試料を重ね合わせる。なお、試料は、就寝時用美容用具１から採取したもの、あるいは、就寝時用美容用具１の各層１０Ａ、１０Ｂを構成するシート材と同質のシート材から採取したもののいずれであってもよい。そして、美容用具本体１１の曲げ硬さを測定する場合には、各試料を重ね合わせた状態で、例えばＫＥＳＦＢ−２ＡＵＴＯ−Ａ（カトーテック株式会社製）などの自動化純曲げ試験機で一定の曲率を与えながら、縦方向１ｃｍ幅あたりの曲げモーメントを計測する。そして、曲率Ｋが０．５ｃｍ−１〜１．５ｃｍ−１での曲げモーメントＭの平均傾斜（ｄＭ／ｄＫ）を算出することで、曲げ硬さを測定することができる。
【００３２】
次に、図１、図２及び図４を参照しながら、美容用具本体１１の形状について説明する。美容用具本体１１は、中央被覆部１２と、側部被覆部１６と、内側被覆部２０と、外側被覆部２２と、を有する。図２に示されるように、美容用具本体１１は、当該美容用具本体１１の幅方向の中央を通りかつ上下方向に沿って延びる直線である中央直線Ｃ（図２を参照）を基準として幅方向について対称な形状を有する。
【００３３】
図２に示されるように、中央被覆部１２は、顔面のうち口及び鼻孔の周囲の部位を被覆する部位である。具体的に、中央被覆部１２は、鼻被覆部１３と、口周囲被覆部１４と、を含む。鼻被覆部１３は、鼻を被覆する部分である。口周囲被覆部１４は、鼻被覆部１３の下側に接続されている。口周囲被覆部１４は、口の周囲を被覆する部分である。
【００３４】
本実施形態では、図１に示されるように、中央被覆部１２は、中央直線Ｃ（図２を参照）に沿って美容用具本体１１が折り曲げられた状態において、保持部３１から離れる方向に凸となるように湾曲する形状を有している。この湾曲している部分の縁部（中央被覆部１２のうち、中央直線Ｃに沿って美容用具本体１１が折り曲げられた状態において保持部３１から遠い側に位置する端部（図１の左側の端部））には、溶着部１２Ａが形成されている。
【００３５】
側部被覆部１６は、中央被覆部１２の側方に接続されている。側部被覆部１６は、顔面のうち頬の周囲や顎を被覆する部位である。この側部被覆部１６に、保持部３１が接続（溶着）されている。
【００３６】
内側被覆部２０は、中央被覆部１２の側方でかつ側部被覆部１６の上方に接続されている。内側被覆部２０は、固定部３０によって美容用具本体１１が口及び鼻孔を覆った状態に保持されたときに顔面のうち目と頬との間の部位（目の下の部位）を被覆する部位である。本実施形態では、上下方向についての内側被覆部２０の上側の縁部は、下向きに凸となるように凹状に窪む形状を有している。
【００３７】
外側被覆部２２は、幅方向について内側被覆部２０の外側で、かつ、上下方向について内側被覆部２０の上側に配置されている。外側被覆部２２は、固定部３０によって美容用具本体１１が口及び鼻孔を覆った状態に保持されたときに目尻及びその近傍の部位を被覆する部位である。上下方向についての外側被覆部２２の上側の縁部は、上向きに凸となるように湾曲する形状を有する。前記上下方向についての外側被覆部２２の上側の縁部のうち幅方向についての内側の端部は、下向きに凸となるように湾曲する形状を有する。図１に示されるように、外側被覆部２２は、溶着部１２Ａの上端と下端とを結ぶ直線である基準直線Ｌに対して垂直でかつ上下方向についての内側被覆部２０の上側の縁部の下端部を通る直線ＨＬから、上向きに突出する形状を有する。外側被覆部２２の上側の縁部の前記直線ＨＬからの上方への突出寸法ｈ（基準直線Ｌに対して垂直でかつ外側被覆部２２の上側の縁部の上端部を通る直線ＨＨと前記直線ＨＬとの距離ｈ）は、５ｍｍ以上に設定されることが好ましく、５ｍｍ以上３０ｍｍ以下に設定されることがより好ましく、１５ｍｍ以上２７ｍｍ以下に設定されることがさらに好ましく、１８ｍｍ以上２４ｍｍ以下に設定されることが特に好ましい。以下、本実施形態では、前記突出寸法ｈは、１９ｍｍに設定されている例について説明する。
【００３８】
固定部３０を構成している一対の保持部３１は、美容用具本体１１を顔面と接触するように固定する部材である。
【００３９】
保持部３１は、口及び鼻孔を覆った状態の美容用具本体１１の側部に接続されている。一対の保持部３１は、美容用具本体１１を当該美容用具本体１１が口及び鼻孔を覆った状態に保持する。
【００４０】
本実施形態では、一対の保持部３１は、それぞれ、耳掛け部により構成されている。耳掛け部の各端部３２は、美容用具本体１１の側部被覆部１６に溶着されている。本実施形態では、各端部３２（各端部３２と美容用具本体１１との溶着部）は矩形状である。
【００４１】
以上に説明したように、本実施形態の就寝時用美容用具１によれば、就寝前において、薬剤を保持している繊維体１０からなる美容用具本体１１を固定部３０で顔面に固定することにより、就寝中の長い期間にわたって美容用具本体１１の接触面１１ａを顔面に接触させた状態で保持することができる。このため、本就寝時用美容用具１を用いることにより、就寝時間を利用して長期間にわたって美容用具本体１１から顔面に美容成分を供給し続けることができるため、高い美容効果が得られる。
【００４２】
また、成長ホルモンの分泌量が多く、高い美容効果が得られるとされている２２時〜２時の間においても、就寝した状態で就寝時用美容用具１を好適に用いることが可能となる。従って、本実施形態の就寝時用美容用具１によれば、より高い美容効果を実現することができる。
【００４３】
また、本実施形態の就寝時用美容用具１では、一対の保持部３１が耳に掛けられたとき（一対の保持部３１によって美容用具本体１１が口及び鼻孔を覆った状態に保持されたとき）に、薬剤層４０のうち内側被覆部２０の内面に位置する部位が目の下の部位に接触するとともに、薬剤層４０のうち外側被覆部２２の内面に設けられた部位が目尻及びその近傍の部位に接触する。このため、目尻を含む美容のニーズの高い目元近傍の部位の美容効果が得られる。よって、この就寝時用美容用具１の着用により顔の美容効果が高まる。
【００４４】
また、外側被覆部２２の上側の縁部は、上向きに凸となるように湾曲する形状を有する。このため、外側被覆部２２の上側の縁部に角が形成されている場合に比べて当該外側被覆部２２への指等の引っ掛かりが抑制される。従って、外側被覆部の剥離（めくれ）が抑制される。また、就寝時用美容用具１の使用感が向上する。
【００４５】
さらに、外側被覆部２２は、直線ＨＬから上向きに５ｍｍ以上突出する形状を有する。このため、薬剤層４０のうち外側被覆部２２の内面に位置する部位が目尻及びその近傍の部位に有効に接触する。よって、目尻及びその近傍の部位に薬剤を好適に供給することができる。従って、この就寝時用美容用具１の着用により顔の美容効果がさらに高まる。
【００４６】
また、上下方向についての外側被覆部２２の上側の縁部のうち幅方向についての内側の端部は、下向きに凸となるように湾曲する形状を有する。このため、薬剤層４０のうち内側被覆部２０及び外側被覆部２２の内面に位置する部位の目元への密着性が高まる。よって、目元に薬剤を好適に供給することができる。従って、この就寝時用美容用具１の着用により顔の美容効果がさらに高まる。
【００４７】
また、内側被覆部２０の上側の縁部は、下向きに凸となるように凹状に窪む形状を有する。このため、薬剤層４０のうち内側被覆部２０の内面に位置する部位の目元への密着性がより向上する。
【００４８】
また、本就寝時用美容用具１では、薬剤層４０が美容用具本体１１の内面に設けられているので、就寝中に就寝時用美容用具１を着用した場合であっても、就寝中における薬剤の布団への付着が防止され、また、薬剤の塗布量を２０ｇ／ｍ２以上とすることで、化粧用マスクのような使用感を得ながら顔の美容効果を得ることができる。
【００４９】
さらに、薬剤の塗布量を１５０ｇ／ｍ２以下とすることで、就寝中における布団への薬剤の付着が抑制され、かつ、呼吸のしやすさが確保される。
【００５０】
また、本就寝時用美容用具１では、外層１０Ｂが疎水性を有するので、薬剤の蒸発が抑制される。このため、薬剤層４０による美容効果及び使用感が長時間持続する。よって、就寝中のような長時間にわたって美容効果を得ることが可能となる。
【００５１】
また、内層１０Ａの圧力損失が外層１０Ｂの圧力損失よりも大きい。このため、就寝時用美容用具１の着用中において、呼吸により美容用具本体１１内が陰圧になった際に、内層１０Ａが肌に向かって変形することによって肌に接触するので、美容効果が高まる。一方、外層１０Ｂの圧力損失が内層１０Ａのそれよりも小さいことから、呼吸時における外層１０Ｂの内側への変形が抑制される。このため、呼吸時に外層１０Ｂと内層１０Ａとの間に空間が形成されるので、呼吸のしやすさが確保される。
【００５２】
そして、内層１０Ａの曲げ硬さが外層１０Ｂの曲げ硬さよりも小さい。このため、呼吸時における内層１０Ａの肌に向かう変形が促進されるので、美容効果がさらに高まる。
【００５３】
（第２実施形態）
次に、図５を参照しながら、本発明の第２実施形態の就寝時用美容用具１について説明する。なお、第２実施形態では、第１実施形態と異なる部分についてのみ説明を行い、第１実施形態と同じ構造、作用及び効果の説明は省略する。
【００５４】
第１実施形態では、美容用具本体１１が内層１０Ａ及び外層１０Ｂの二層構造を有している例について説明した。但し、本発明は、この構成に限定されない。本発明においては、例えば、美容用具本体は、１枚の繊維体（例えば、不織布など）により構成されていてもよいし、３枚以上の繊維体により構成されていてもよい。
【００５５】
図５に示されるように、本実施形態の就寝時用美容用具１では、繊維体１０は、内層１０Ａと、外層１０Ｂと、中間層１０Ｃと、からなる三層構造を有している。中間層１０Ｃは、内層１０Ａと外層１０Ｂとの間に設けられている。各層１０Ａ〜１０Ｃは、溶着部１２Ａ及び外縁部分を除いて、互いに接着されることなく重ね合わされている。
【００５６】
中間層１０Ｃは、不織布、具体的には、エアスルー法により形成されたエアスルー不織布からなる。本実施形態では、中間層１０Ｃは、ポリプロピレンのみで構成されている。
【００５７】
中間層１０Ｃが設けられている本実施形態では、例えば、薬剤を内層１０Ａに含浸させる場合、内層１０Ａに加え、中間層１０Ｃ及び外層１０Ｂの少なくとも一方にも薬剤を含浸させてもよい。但し、寝具への付着を抑制する観点からは、内層１０Ａと中間層１０Ｃとに薬剤を含浸させ、外層１０Ｂには、薬剤を含浸させないことがより好ましい。
【００５８】
本実施形態では、内層１０Ａの圧力損失は、外層１０Ｂの圧力損失よりも大きく、外層１０Ｂの圧力損失は、中間層１０Ｃの圧力損失よりも大きい。このため、中間層１０Ｃは、呼吸時における外層１０Ｂから内層１０Ａへ向かう通気をほぼ阻害することなく、外層１０Ｂの内側への変形を抑制する。よって、呼吸時に外層１０Ｂと内層１０Ａとの間により確実に空間が形成されるので、呼吸のしやすさがさらに確保される。好ましくは、中間層１０Ｃの圧力損失は、０ｍｍＨ２Ｏ／ｃｍ２よりも大きく０．３ｍｍＨ２Ｏ／ｃｍ２以下である。
【００５９】
（第３実施形態）
次に、図６〜図８を参照しながら、本発明の第３実施形態の就寝時用美容用具１について説明する。なお、第３実施形態では、第１実施形態と異なる部分についてのみ説明を行い、第１実施形態と同じ構造、作用及び効果の説明は省略する。
【００６０】
本実施形態の就寝時用美容用具１は、第３実施形態における美容用具本体１１の形状が第１実施形態のそれと異なる。図６に示されるように、特に、中央被覆部１２及び内側被覆部２０の形状が第１実施形態のそれと異なる。
【００６１】
本実施形態では、中央被覆部１２のうち鼻被覆部１３と口周囲被覆部１４との境界は、中央直線Ｃに沿って美容用具本体１１が折り曲げられた状態において鼻被覆部１３から耳掛け部側に向かうように窪む形状を有している。このため、一対の耳掛け部が耳に掛けられたときに、鼻被覆部１３と口周囲被覆部１４との境界が鼻の下の部位に密着しやすくなる。よって、鼻の下の部位の美容効果が高まる。
【００６２】
また、内側被覆部２０は、略直線状に形成されている。本実施形態では、外側被覆部２２の前記直線ＨＬからの上方への突出寸法ｈは、２２．５ｍｍに設定されている。
【００６３】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
例えば、第３実施形態においても、内側被覆部２０の上側の縁部の形状が第１実施形態のそれと同じに設定されてもよい。
【００６５】
一対の保持部３１は、耳掛け部に限られない。例えば、保持部３１は顔面に貼り付けられることが可能な粘着部でもよく、当該粘着部は幅方向について美容用具本体１１の側部から外向きに突出する構造でもよく、美容用具本体１１の一部を構成する構造でもよい。
【００６６】
例えば、本発明において、就寝時用美容用具は、美容用具本体及び固定部以外の部材をさらに備えていてもよい。 
【００６７】
本発明に係る就寝時用美容用具は、就寝時にするためのものであるが、これは就寝時以外の期間にも使用できることを除外するものではない。例えば、就寝時よりも早い時刻に就寝時用美容用具を装着し、就寝時用美容用具を装着したまま過ごした後に就寝してもよい。例えば、就寝時用美容用具を装着して就寝し、起床した後においても就寝時用美容用具を装着したまま過ごしてもよい。
【符号の説明】
【００６８】
１    就寝時用美容用具
１０    繊維体
１１    美容用具本体
１１ａ  接触面
３０    固定部
【図１】
2019208630.tif 000003
【図２】
2019208630.tif 000004
【図３】
2019208630.tif 000005
【図４】
2019208630.tif 000006
【図５】
2019208630.tif 000007
【図６】
2019208630.tif 000008
【図７】
2019208630.tif 000009
【図８】
2019208630.tif 000010